(57)【特許請求の範囲】
【請求項１】
アナログ放送およびデジタル放送を選択的に受信して表示装置に表示させるためのアナログ／デジタル放送受信装置であって、
アナログ放送波を受信して、アナログ放送映像信号、補助アナログ放送映像信号およびアナログ合成制御信号を出力するアナログ放送受信手段と、
デジタル放送波を受信して、デジタル放送映像信号、補助デジタル放送映像信号およびデジタル合成制御信号を出力するデジタル放送受信手段と、
ユーザの指示に応じて、第１および第２の表示モードの中からいずれかの表示モードを選択する表示モード選択手段と、
前記表示モード選択手段が第１の表示モードを選択したときは、前記アナログ放送映像信号および前記補助アナログ放送映像信号を合成した第１の表示モードの合成映像信号を作成して前記表示装置に出力し、前記表示モード選択手段が第２の表示モードを選択したときは、前記デジタル放送映像信号および前記補助デジタル放送映像信号を合成した第２の表示モードの合成映像信号を作成して前記表示装置に出力する合成手段とを備え、
前記合成手段は、
第１の表示モードが選択されたときは、前記アナログ放送受信手段が受信したアナログ合成制御信号に基づいて、前記アナログ放送映像信号および前記補助アナログ放送映像信号を合成して前記第１の表示モードの合成映像信号を作成し、
第２の表示モードが選択されたときは、前記デジタル放送受信手段が受信したデジタル合成制御信号をアナログ合成制御信号に変換し、当該変換されたアナログ合成制御信号に基づいて、前記デジタル放送映像信号および前記補助デジタル放送映像信号を合成して前記第２の表示モードの合成映像信号を作成することを特徴とする、アナログ／デジタル放送受信装置。
【請求項２】
前記アナログ合成制御信号は、
前記第１の表示モードの合成映像信号を構成する各画素の映像信号に、前記アナログ放送映像信号または前記補助アナログ放送映像信号のいずれを用いるのかを示す２値信号である切替制御信号と、
前記第１の表示モードの合成映像信号を構成する各画素の映像信号の輝度を減少させるか否かを示す２値信号である映像減衰制御信号とを備え、
前記合成手段は、前記切替制御信号および前記映像減衰制御信号に基づいて、前記第１の表示モードの合成映像信号を作成することを特徴とする、請求項１に記載のアナログ／デジタル放送受信装置。
【請求項３】
前記合成手段は、前記第２の表示モードが選択されたときに、前記デジタル合成制御信号を、前記切替制御信号および前記映像減衰制御信号に変換し、当該変換された切替制御信号および当該変換された映像減衰制御信号に基づいて、前記デジタル放送映像信号と前記補助デジタル放送映像信号とを合成することを特徴とする、請求項２に記載のアナログ／デジタル放送受信装置。
【請求項４】
前記デジタル合成制御信号は、デジタル放送映像信号と補助デジタル放送映像信号とが合成されるときの当該デジタル放送映像信号と当該補助デジタル映像信号との強度比を示す数値信号であることを特徴とする、請求項３に記載のアナログ／デジタル放送受信装置。
【請求項５】
前記合成手段は、前記デジタル合成制御信号の値と、前記切替制御信号の値および前記映像減衰制御信号の値とを対応付けた信号変換情報を格納し、当該信号変換情報を参照して、前記デジタル合成制御信号を、前記切替制御信号および前記映像減衰制御信号に変換することを特徴とする、請求項４に記載のアナログ／デジタル放送受信装置。
【発明の詳細な説明】
【０００１】
【発明の属する技術分野】
本発明は、アナログ／デジタル法送受信装置に関する発明であって、より特定的には、アナログ放送およびデジタル放送を選択的に受信して表示装置に表示させるためのアナログ／デジタル放送受信装置に関する発明である。
【０００２】
【従来の技術】
ＢＳ（Ｂｒｏａｄｃａｓｔｉｎｇ  Ｓａｔｅｌｌｉｔｅ）デジタル放送やＣＳ（Ｃｏｍｍｕｎｉｃａｔｉｏｎ  Ｓａｔｅｌｌｉｔｅ）デジタル放送といった衛星デジタル放送の受信システムは、当該衛星デジタル放送の番組映像（以下、衛星番組映像と称す）とデータ放送の映像（以下、データ放送映像と称す）とが合成された合成衛星番組映像を表示する機能を有する。そのため、上記衛星デジタル放送の受信システムは、合成衛星番組映像信号を作成する合成回路（以下、ＢＳ／ＣＳ合成回路と称す）を有する。当該ＢＳ／ＣＳ合成回路は、αブレンドという合成方式によって、衛星番組映像信号とデータ放送映像信号とを合成している。ここで、αブレンドとは、衛星から送信されてくる０〜１の数値であるα値の信号（以下、α値信号と称す）に基づいて、衛星番組映像およびデータ番組映像を画素単位で合成する画像合成方式である。より具体的には、α値の値がα1である画素では、データ放送映像信号の強度がα1倍され、衛星番組映像信号の強度が１−α1倍されて、それぞれの信号が足し合わされて合成衛星番組映像信号が作成される。
【０００３】
一方、地上波アナログ放送の受信システムには、地上波アナログ放送の番組映像（以下、地上波番組映像と称す）と文字放送の映像（以下、文字放送映像と称す）とが合成された合成地上波番組映像を表示する機能を有するものがある。このような地上波アナログ放送の受信システムは、合成地上波番組映像信号を作成するための合成回路（以下、地上波合成回路と称す）を有する。当該地上波合成回路は、映像減衰制御信号（以下、ＹＭ信号と称す）および切替制御信号（以下、ＹＳ信号と称す）を利用する合成方式によって、地上波番組映像信号と文字放送映像信号とを合成している。ここで、ＹＭ信号およびＹＳ信号を利用する合成方式とは、放送局から送信されてくる０または１の数値信号であるＹＭ信号およびＹＳ信号に基づいて、地上波番組映像と文字放送映像とを画素単位で合成する画像合成方式である。より具体的には、ＹＳ信号が１である画素では、文字放送映像信号が使用され、ＹＳ信号が０である画素では、地上波番組映像信号が使用される。また、ＹＭ信号が１の画素では、輝度が減衰された地上波映像信号が使用され、ＹＭ信号が０の画素では、地上波映像信号が減衰されないで使用される。以下に、具体例を挙げて当該ＹＭ信号およびＹＳ信号を利用する合成方式についてさらに詳しく説明する。
【０００４】
図１６は、ＹＭ信号およびＹＳ信号を用いて、「１」の数字が地上波番組映像上に合成されたときの画面を示したものである。画面を構成する各正方形は、画素を示している。白い正方形は、地上波番組映像信号が画面に出力されていることを示す。斜線の正方形は、輝度が減衰された地上波番組映像信号が画面に出力されていることを示す。黒い正方形は、文字放送映像信号が画面に出力されていることを示す。この場合、白い正方形では、ＹＳ信号およびＹＭ信号の値は共に０である。斜線の正方形では、ＹＳ信号の値は０であり、ＹＭ信号の値は１である。黒い正方形では、ＹＳ信号の値は１であり、ＹＭ信号の値は０である。このように、ＹＭ信号およびＹＳ信号を利用することで合成地上波映像信号が作成される。なお、地上波映像信号の輝度が減衰される画素（ＹＭ信号の値が１の画素）は、一般的には文字放送映像付近の画素である。これは、本処理が文字放送映像を見易くするために施される処理だからである。
【０００５】
現在の衛星デジタル放送および地上波アナログ放送においては、上記のように２種類の画像合成方式が採用されている。そのため、衛星デジタル放送および地上波アナログ放送の両方を受信できる受信システムは、αブレンドを行う合成回路とＹＳ信号およびＹＭ信号を利用する合成方式を行う合成回路との両方を備える必要がある。以下に、当該衛星デジタル放送および上記地上波アナログ放送の両方を受信することができる受信システムが行う動作について、図面を参照しながら簡単に説明する。図１７は、上記衛星デジタル放送および上記地上波アナログ放送の両方を受信することができる受信システム２０００の構成を示したブロック図である。当該受信システム２０００は、衛星アンテナ２００５、地上波アンテナ２０１０、チューナ２０１５、リモコン２０１８、ＢＳ／ＣＳ合成回路２０２０、地上波合成回路２０２５およびモニタ２０３０を備える。
【０００６】
まず、衛星アンテナ２００５は、衛星番組映像信号とデータ放送映像信号とα値信号とを含む放送電波を受信して、チューナ２０１５に出力する。地上波アンテナ２０１０は、放送局から送信されてくる地上波番組映像信号と文字放送映像信号とＹＭ信号とＹＳ信号とを含む放送電波を受信して、チューナ２０１５に出力する。次に、衛星アンテナ２００５および地上波アンテナ２０１０から信号を取得したチューナ２０１５は、取得した衛星番組映像信号、データ放送映像信号、α値信号、地上波番組映像信号、文字放送映像信号、ＹＭ信号およびＹＳ信号に対して復調および復号化等の処理を行う。次に、ユーザは、衛星番組映像または地上波番組映像のいずれか視聴したい方を選択して、当該選択の結果をリモコン２０１８に受信システム２０００へ送信させる。応じて、受信システム２０００は、当該選択の結果を受信する。当該選択の結果が衛星番組映像である場合、チューナ２０１５は、復調等の処理を行った衛星番組映像信号、データ放送映像信号およびα値信号をＢＳ／ＣＳ合成回路２０２０に出力する。一方、当該選択の結果が地上波番組映像である場合、チューナ２０１５は、復調および復号化等の処理を行った地上波番組映像信号、文字放送映像信号、ＹＭ信号およびＹＳ信号を地上波合成回路２０２５に出力する。
【０００７】
当該選択の結果が衛星番組映像である場合、ＢＳ／ＣＳ合成回路２０２０は、αブレンドによって、衛星番組映像信号とデータ放送映像信号とを合成して合成衛星番組映像信号を作成し、モニタ２０３０に出力する。応じて、当該合成衛星番組映像信号が、モニタ２０３０に表示される。
【０００８】
一方、当該選択の結果が地上波番組映像である場合、地上波合成回路２０２５は、上述したＹＳ信号およびＹＭ信号を利用する合成方式によって、地上波番組映像信号と文字放送信号とを合成して合成地上波番組映像信号を作成し、モニタ２０３０に出力する。応じて、当該合成地上波番組映像信号が、モニタ２０３０に表示される。以上で、従来の受信システムが行う動作の簡単な説明を終了する。なお、上記受信システムの説明では、合成衛星番組映像がモニタ２０３０に表示される場合と、合成地上波番組映像がモニタ２０３０に表示される場合とについて説明をしたが、衛星番組映像のみがモニタ２０３０に表示される場合や地上波番組映像のみがモニタ２０３０に表示される場合もある。これら場合には、チューナ２０１５からモニタ２０３０に対して衛星番組映像または地上波番組映像が出力される。
【０００９】
【発明が解決しようとする課題】
上記のように、衛星デジタル放送および地上波アナログ放送を受信する従来の受信システムでは、合成衛星番組映像信号を作成するＢＳ／ＣＳ合成回路と、合成地上波番組映像信号を作成する地上波合成回路とが必要であった。そのため、従来の受信システムは、回路規模が大きくなるという問題点を有していた。
【００１０】
そこで、本発明の目的は、コンパクトな回路構成を持った衛星デジタル放送および地上波アナログ放送の両方を受信できる受信システムを提供することである。
【００１１】
【課題を解決するための手段および発明の効果】
第１の発明は、アナログ放送およびデジタル放送を選択的に受信して表示装置に表示させるためのアナログ／デジタル放送受信装置であって、
アナログ放送波を受信して、アナログ放送映像信号、補助アナログ放送映像信号およびアナログ合成制御信号を出力するアナログ放送受信手段と、
デジタル放送波を受信して、デジタル放送映像信号、補助デジタル放送映像信号およびデジタル合成制御信号を出力するデジタル放送受信手段と、
ユーザの指示に応じて、第１および第２の表示モードの中からいずれかの表示モードを選択する表示モード選択手段と、
表示モード選択手段が第１の表示モードを選択したときは、アナログ放送映像信号および補助アナログ放送映像信号を合成した第１の表示モードの合成映像信号を作成して表示装置に出力し、表示モード選択手段が第２の表示モードを選択したときは、デジタル放送映像信号および補助デジタル放送映像信号を合成した第２の表示モードの合成映像信号を作成して表示装置に出力する合成手段とを備え、
合成手段は、
第１の表示モードが選択されたときは、アナログ放送受信手段が受信したアナログ合成制御信号に基づいて、アナログ放送映像信号および補助アナログ放送映像信号を合成して第１の表示モードの合成映像信号を作成し、
第２の表示モードが選択されたときは、デジタル放送受信手段が受信したデジタル合成制御信号をアナログ合成制御信号に変換し、当該変換されたアナログ合成制御信号に基づいて、デジタル放送映像信号および補助デジタル放送映像信号を合成して第２の表示モードの合成映像信号を作成することを特徴とする。
【００１２】
上記のように、第１の発明によれば、第２の表示モードが選択されたときに、デジタル合成制御信号がアナログ合成制御信号に変換される。そして、当該変換されたアナログ合成制御信号に基づいて、第２の表示モードの合成映像信号が、第１の表示モードの合成映像信号を作成するための合成手段において作成されるので、第１の表示モードの合成映像信号を作成する合成回路と第２の表示モードの合成映像信号を作成するための合成回路とを共通化することができる。その結果、当該アナログ／デジタル放送受信装置の回路構成をコンパクト化することができる。
【００１３】
第２の発明は、第１の発明に従属する発明であって、アナログ合成制御信号は、
第１の表示モードの合成映像信号を構成する各画素の映像信号に、アナログ放送映像信号または補助アナログ放送映像信号のいずれを用いるのかを示す２値信号である切替制御信号と、
第１の表示モードの合成映像信号を構成する各画素の映像信号の輝度を減少させるか否かを示す２値信号である映像減衰制御信号とを備え、
合成手段は、切替制御信号および映像減衰制御信号に基づいて、第１の表示モードの合成映像信号を作成することを特徴とする。
【００１４】
上記のように、第２の発明によれば、アナログ合成制御信号として切替制御信号と映像減衰制御信号とが用いられている。当該切替制御信号は、アナログ放送映像信号または補助アナログ放送映像信号のいずれを各画素の映像信号に用いるのかを示す信号である。当該切替制御信号が用いられることによって、第１の表示モードの合成映像信号の作成が、映像信号の切替という単純な処理によって行うことが可能となる。また、映像減衰制御信号は、第１の表示モードの合成映像信号を構成する各画素の映像信号の輝度を減少させるか否かを示す信号である。補助アナログ放送映像信号の映像付近の輝度が減少されることで、当該補助アナログ放送映像信号の映像を際立たせて表示することが可能となる。
【００１５】
第３の発明は、第２の発明に従属する発明であって、合成手段は、第２の表示モードが選択されたときに、デジタル合成制御信号を、切替制御信号および映像減衰制御信号に変換し、当該変換された切替制御信号および当該変換された映像減衰制御信号に基づいて、デジタル放送映像信号と補助デジタル放送映像信号とを合成することを特徴とする。
【００１６】
上記のように、第３の発明によれば、デジタル放送制御信号が切替制御信号および映像減衰制御信号に変換されるので、上記のようなデジタル放送映像信号と補助デジタル放送映像信号との合成に対しても、切替制御信号および映像減衰制御信号を用いた合成方法を適用することが可能となる。ここで、一般的には、切替制御信号および映像減衰制御信号を用いた合成方法に用いられる合成回路は、デジタル放送映像信号の合成方法に用いられる合成回路よりも安価であることが多い。従って、当該アナログ／デジタル放送受信装置の合成回路が安価なものとされる。
【００１７】
第４の発明は、第３の発明に従属する発明であって、デジタル合成制御信号は、デジタル放送映像信号と補助デジタル放送映像信号とが合成されるときの当該デジタル放送映像信号と当該補助デジタル映像信号との強度比を示す数値信号であることを特徴とする。
【００１８】
上記のように、第４の発明によれば、デジタル放送映像信号と補助デジタル放送映像信号とを合成する方式が、いわゆるαブレンドであるとしている。αブレンドによる合成方式では、デジタル放送映像信号の強度と補助デジタル映像信号の強度とを任意の割合で合成できるので、その合成回路は複雑なものとなる。ここで、当該アナログ／デジタル放送受信装置では、デジタル放送映像信号と補助デジタル放送映像信号とをαブレンドではなく、切替制御信号および映像減衰制御信号を用いて合成している。従って、合成回路の構成が簡単なものとされる。
【００１９】
第５の発明は、第４の発明に従属する発明であって、合成手段は、デジタル合成制御信号の値と、切替制御信号の値および映像減衰制御信号の値とを対応付けた信号変換情報を格納し、当該信号変換情報を参照して、デジタル合成制御信号を、切替制御信号および映像減衰制御信号に変換することを特徴とする。
【００２０】
上記のように、第５の発明によれば、デジタル合成制御信号の値に対応する切替制御信号の値および映像減衰制御信号の値が、予め当該アナログ／デジタル放送受信装置内に信号変換情報として設定されているので、当該信号変換情報を当該アナログ／デジタル放送受信装置の内部および外部で利用することが可能となる。外部で利用する態様としては、例えば、当該信号変換情報を外部に出力して、当該信号変換情報の設定を変更することなどが考えられる。
【００３１】
【発明の実施の形態】
（第１の実施形態）以下に、本発明の第１の実施形態について、図面を参照しながら説明する。図１は、本発明の第１の実施形態にかかる地上波アナログ放送および衛星デジタル放送受信システム（以下、受信システム１００と称す）の全体構成を示したブロック図である。当該受信システム１００は、衛星から送信されてくる衛星デジタル放送の放送電波および放送局から送信されてくる地上波アナログ放送の放送電波を受信して衛星デジタル放送の番組または地上波アナログ放送の番組を表示するための装置である。当該受信システム１００は、衛星アンテナ１０５、地上波アンテナ１１０、チューナ１１５、リモコン１２０、合成回路１２５およびモニタ１３０を備える。
【００３２】
衛星アンテナ１０５は、チューナ１１５と接続され、衛星から送信されてくる放送電波を受信する。地上波アンテナ１１０は、チューナ１１５と接続され、放送局から送信されてくる放送電波を受信する。リモコン１２０は、チューナ１１５に赤外線等によりユーザの指示を送信する。チューナ１１５は、衛星アンテナ１０５および地上波アンテナ１１０で受信した放送電波から、衛星デジタル放送の番組を表示させるための衛星放送信号と、地上波アナログ放送の番組を表示させるための地上波放送信号とを抽出し、これらを復調および復号化する。
【００３３】
図２は、上記衛星放送信号の構造を示した図である。当該衛星放送信号は、衛星番組映像信号パケット、データ放送映像信号パケットおよびα値信号パケットを含む。衛星番組映像信号パケットとは、衛生番組映像信号（なお、請求項中では、当該衛星放送番組映像信号をデジタル放送映像信号としている）が１パケット分集合したものである。当該衛星番組映像信号とは、衛星番組映像の一画素分に相当する信号である。また、データ放送映像信号パケットとは、データ放送映像信号（なお、請求項中では、当該データ放送映像信号を補助デジタル放送映像信号としている）が１パケット分集合したものである。当該データ放送映像信号とは、データ放送映像の一画素分に相当する信号である。なお、当該データ放送映像は、例えばニュースや番組表の映像である。また、α値信号パケットとは、α値信号（なお、当該α値信号は、請求項中のデジタル合成制御信号の一例である）が１パケット分集合したものである。当該α値信号とは、衛星番組映像とデータ放送映像とがαブレンドによって合成されるときに用いられる信号であり、データ放送映像の画素毎に作成されるものである。
【００３４】
ここで、αブレンドについて説明する。αブレンドとは、衛星から送信されてくる０〜１の数値であるα値の信号（以下、α値信号と称す）に基づいて、衛星番組映像およびデータ放送番組映像を画素単位で合成する画像合成方式である。より具体的には、α値の値がα1である画素では、データ放送映像信号の強度がα1倍され、衛星番組映像信号の強度が１−α1倍されて、それぞれの信号が足し合わされて合成衛星番組映像信号が作成される。従って、α値が小さな場合には、衛星番組映像が強調された合成衛星番組映像信号が作成され、α値が大きな場合には、データ放送番組映像が強調された合成衛星番組映像信号が作成される。
【００３５】
ここで、当該衛星放送信号が衛星デジタル放送の放送局において作成されるときの作成手順について説明する。まず、衛星デジタル放送の放送局は、衛生番組映像信号、データ放送映像信号およびα値信号を符号化した状態で作成する。なお、一般的に、当該衛星番組映像信号は、ＭＰＥＧ形式の映像信号である。次に、当該衛星デジタル放送局は、符号化した衛生番組映像信号、データ放送映像信号およびα値信号を、それぞれ衛星番組映像信号パケット、データ放送映像信号パケット、α値信号パケットとする。そして、当該衛星デジタル放送局は、これらを変調して放送電波として、衛星を介して各家庭の受信機に送信する。応じて、各家庭の受信機は、当該衛星放送信号の放送電波を受信する。以上で、衛星放送信号の作成についての説明を終了する。
【００３６】
図３は、地上波放送信号の構造を示した図である。当該地上波放送信号は、複数の基本地上波番組映像信号で構成されている。基本地上波番組映像信号は、地上波番組映像信号領域と垂直帰線期間とを含む。当該地上波番組映像信号領域には、一画面分の地上波番組映像信号（なお、請求項中では、当該地上波番組映像信号をアナログ放送映像信号としている）が含まれている。また、当該垂直帰線期間には、文字放送映像信号領域（なお、請求項中では、当該文字放送映像信号を当該補助アナログ放送映像信号としている）、切替制御信号領域（以下、当該切替制御信号領域をＹＳ信号領域と称し、切替制御信号をＹＳ信号と称す）および映像減衰制御信号領域（以下、当該映像減衰制御信号領域をＹＭ信号領域と称し、映像減衰制御信号をＹＭ信号と称す）が含まれている。文字放送映像信号領域には、複数の文字放送映像信号が含まれている。また、ＹＳ信号領域には、複数のＹＳ信号が含まれている。さらに、ＹＭ信号領域には、複数のＹＭ信号が含まれている。
【００３７】
ここで、地上波番組映像信号とは、地上波アナログ放送の番組映像の一画素分に相当する信号である。文字放送映像信号とは、地上波アナログ放送の番組映像に合成される文字放送映像の一画素分に相当する信号である。なお、当該文字放送映像は、例えばニュースや天気予報の文字映像である。ＹＭ信号およびＹＳ信号とは、地上波アナログ放送における番組映像と文字放送映像とが合成されるときに用いられる０または１の数値信号であり、文字放送映像の画素毎に作成されるものである。より具体的には、ＹＳ信号が１である画素では、文字放送映像信号が使用され、ＹＳ信号が０である画素では、地上波番組映像信号が使用される。また、ＹＭ信号が１の画素では、輝度が減衰された地上波番組映像信号が使用され、ＹＭ信号が０の画素では、地上番組波映像信号がそのままの状態で使用される。以下に、具体例を挙げて当該ＹＭ信号およびＹＳ信号を利用する合成方式についてさらに説明する。
【００３８】
図１６は、ＹＭ信号およびＹＳ信号を用いて、「１」の数字を示す文字放送映像が地上波番組映像上に合成されたときの画面を示したものである。画面を構成する各正方形は、画素を示している。白い正方形は、地上波番組映像信号が画面に出力されていることを示す。斜線の正方形は、輝度が減衰された地上波番組映像信号が画面に出力されていることを示す。黒い正方形は、文字放送映像信号が画面に出力されていることを示す。この場合、白い正方形では、ＹＳ信号およびＹＭ信号の値は共に０である。斜線の正方形では、ＹＳ信号の値は０であり、ＹＭ信号の値は１である。黒い正方形では、ＹＳ信号の値は１であり、ＹＭ信号の値は０である。このように、ＹＭ信号およびＹＳ信号を利用することで合成地上波映像信号が作成されている。なお、地上波映像信号の輝度が減衰される画素（ＹＭ信号の値が１の画素）は、一般的には文字放送映像付近の画素である。これは、文字放送映像を見易くするために施される処理である。
【００３９】
ここで、当該地上波放送信号が地上波アナログ放送の放送局において作成されるときの作成手順について説明する。まず、地上波アナログ放送の放送局は、文字放送映像信号、ＹＳ信号およびＹＭ信号を符号化した状態で作成する。次に、地上波アナログ放送の放送局は、基本地上波番組映像信号を作成する。そして、地上波アナログ放送の放送局は、作成した基本地上波番組映像信号中の垂直帰線期間に文字放送映像信号、ＹＳ信号およびＹＭ信号を埋め込んで、文字放送映像信号領域、ＹＳ信号領域およびＹＭ信号領域を作成する。このように作成された地上波放送信号は、変調されて放送電波として、各家庭の受信機に送信される。応じて、各家庭の受信機は、当該放送電波を受信する。以上で、地上波放送信号の作成についての説明を終了する。
【００４０】
ここで、図１の受信システム１００の説明に戻る。当該チューナ１１５は、ユーザの指示に応じて、衛星番組映像信号とデータ放送映像信号とα値信号との各信号または地上波番組映像信号と文字放送映像信号とＹＭ信号とＹＳ信号との各信号のいずれかの信号を合成回路１２５に出力する。合成回路１２５は、チューナ１１５から出力される信号を用いて、合成衛星番組映像信号または合成地上波番組映像信号を作成し、モニタ１３０に出力する。モニタ１３０は、チューナ１１５および合成回路１２５と接続され、当該チューナ１１５または合成回路１２５から取得する信号に基づいて番組の映像等を表示する。
【００４１】
図４は、チューナ１１５の詳細な構成を示したブロック図である。当該チューナ１１５は、制御部４００、リモコンＩ／Ｆ４０５、ＢＳ／ＣＳチューナ４１０、ＢＳ／ＣＳデコーダ４１５、地上波チューナ４２０、文字放送デコーダ４２５および出力信号切替部４３５を備える。
【００４２】
リモコンＩ／Ｆ４０５は、リモコン１２０から送信されてくるユーザの指示を受信して、制御部４００に出力する。制御部４００は、ユーザの指示に応じて当該チューナ１１５全体の動作を制御する。ＢＳ／ＣＳチューナ４１０は、衛星アンテナ１０５と接続され、衛星アンテナ１０５で受信した放送電波から衛星放送信号を抽出し、当該抽出した衛星放送信号を復調する。ＢＳ／ＣＳデコーダ４１５は、復調された衛星放送信号を衛星番組映像信号、データ放送映像信号およびα値信号出力信号に復号化して、これらを出力信号切替部４３５に出力する。
【００４３】
地上波チューナ４２０は、地上波アンテナ１１０と接続され、地上波アンテナ１１０が受信した放送電波から地上波放送信号を抽出し、当該抽出した地上波放送信号を復調して、文字放送デコーダ４２５および出力信号切替部４３５に出力する。文字放送デコーダ４２５は、復調された地上波放送信号から文字放送映像信号、ＹＳ信号およびＹＭ信号を抽出して、これらを復号化して、出力信号切替部４３５に出力する。
【００４４】
出力信号切替部４３５は、合成回路１２５およびモニタ１３０に接続されており、ユーザの指示に応じて、出力されてくる信号を合成回路１２５またはモニタ１３０に出力する。
【００４５】
図５は、合成回路１２５の詳細な構成を示したブロック図である。当該合成回路１２５は、ＹＳ・ＹＭ信号作成部５０５および画像合成部５１０を備える。
【００４６】
本実施形態にかかる合成回路１２５には、衛星番組映像信号とデータ放送映像信号とα値信号との各信号またはＹＭ信号とＹＳ信号と文字放送映像信号と地上波番組映像信号との各信号のいずれかの組合せが出力されてくる。ＹＳ・ＹＭ信号作成部５０５は、α値変換テーブルを格納しており、当該α値変換テーブルを参照して、取得したα値信号から変換ＹＳ信号および変換ＹＭ信号を作成する。画像合成部５１０は、取得した信号に基づいて、ＹＳ信号およびＹＭ信号を利用する合成方式によって、合成衛星番組映像信号または合成地上波番組映像信号を作成して、モニタ１３０に出力する。
【００４７】
図６は、上記α値変換テーブルの一例を示した図である。当該α値変換テーブルは、ＹＳ・ＹＭ信号作成部５０５に格納されており、α値信号の値と変換ＹＳ信号および変換ＹＭ信号の値とが関連付けられている。より具体的には、α値が０≦α≦０．２５である場合、変換ＹＳ信号および変換ＹＭ信号の値は共に０となる。これは、α値が０≦α≦０．２５のときには、衛星番組映像信号が強調された状態でデータ放送映像信号と合成される。しかし、変換ＹＳ信号および変換ＹＭ信号を利用した合成方式では、上記のような合成は不可能である。そこで、同様の合成衛星番組映像信号を得るために、衛星番組映像信号が強調される変わりに、衛星番組映像信号のみが合成衛星番組映像信号として用いられるものとしている。
【００４８】
α値が０．２５＜α＜０．７５である場合、変換ＹＳ信号の値は０となり、変換ＹＭ信号の値は１となる。これは、α値が０．２５＜α＜０．７５であるときには、衛星番組映像信号の強度とデータ放送映像信号の強度とが比較的近い比率で合成される。しかし、変換ＹＳ信号および変換ＹＭ信号を利用した合成方式では、上記のような合成は不可能である。そこで、同様の合成衛星番組映像信号を得るために、輝度が減衰された衛星番組映像信号が、合成衛星番組映像信号として用いられるものとしている。
【００４９】
α値が０．７５≦α≦１．０である場合、変換ＹＳ信号の値は１となり、変換ＹＭ信号の値は０となる。これは、α値が０．７５≦α≦１．０であるときには、データ放送映像信号が強調された状態で衛星番組映像信号と合成される。しかし、変換ＹＳ信号および変換ＹＭ信号を利用した合成方式では、上記のような合成は不可能である。そこで、同様の合成衛星番組映像信号を得るために、データ放送映像信号が強調される変わりに、データ放送映像信号のみが合成衛星番組映像信号として用いられるものとしている。なお、図６に示されるα値変換テーブル中のα値の閾値は、一例を示したものであり、当該α値の閾値はこれに限られない。
【００５０】
以上のように構成された受信システム１００について、以下に動作を説明する。なお、本実施形態で示す各処理は、コンピュータを用いてソフトウェア的に実現するか、あるいはそれら各処理を行う専用のハードウェア回路を用いて実現することができる。
【００５１】
最初に、地上波放送信号および衛星放送信号が受信システム１００で受信されるときに、当該受信システム１００が行う動作について、図１を参照しながら説明する。
【００５２】
まず、衛星アンテナ１０５は、衛星デジタル放送の放送局から衛星を介して送信されてくる放送電波を受信する。また、地上波アンテナ１１０は、地上波放送信号の放送局から送信されてくる放送電波を受信する。
【００５３】
次に、図４を参照して、受信した衛星放送信号および地上波放送信号が復調および復号化されるときにチューナ１１５が行う動作について説明する。
【００５４】
最初に、本動作は、リモコン１２０から送信されてくる視聴開始の指示がリモコンＩ／Ｆ４０５で受信されて、制御部４００に出力されることで開始される。当該視聴開始の指示は、ＢＳ／ＣＳチューナ４１０および地上波チューナ４２０で抽出すべき衛星放送信号および地上波放送信号のチャンネルの情報（以下、抽出チャンネル情報と称す）、ユーザが衛星番組映像または地上波番組映像のいずれの視聴を所望しているのかを示す情報（以下、視聴映像情報と称す）および各映像を合成させるか否かの情報（以下、合成情報と称す）を含んでいる。当該視聴開始の指示を取得した制御部４００は、ＢＳ／ＣＳチューナ４１０に対して、抽出チャンネル情報のチャンネルに該当する衛星放送信号を抽出するように指示し、地上波チューナ４２０に対して、抽出チャンネル情報のチャンネルに該当する地上波放送信号を抽出するように指示する。
【００５５】
上記指示を受けたＢＳ／ＣＳチューナ４１０は、当該指示に従って衛星放送信号を抽出して復調し、当該復調した衛星放送信号をＢＳ／ＣＳデコーダ４１５に出力する。次に、ＢＳ／ＣＳデコーダ４１５は、取得した衛星放送信号を衛星番組映像信号、α値信号およびデータ放送映像信号に復号化して、これらを出力信号切替部４３５に出力する。応じて、出力信号切替部４３５は、衛星番組映像信号、α値信号およびデータ放送映像信号を取得する。
【００５６】
一方、上記指示を受けた地上波チューナ４２０は、当該指示に従って地上波放送信号を抽出して復調して、これを文字放送デコーダ４２５および出力信号切替部４３５に出力する。次に、文字放送デコーダ４２５は、取得した復調された地上波放送信号からＹＳ信号、ＹＭ信号および文字放送映像信号を抽出し、これらを復号化して、出力信号切替部４３５に出力する。これにより、出力信号切替部４３５は、衛星番組映像信号、α値信号、データ放送映像信号、ＹＭ信号、ＹＳ信号、文字放送映像信号および復調された地上波放送信号を取得する。
【００５７】
なお、当該復調された地上波放送信号は、地上波番組映像が表示されるときに用いられる信号であり、地上波番組映像信号に垂直帰線期間が付加されたものである。当該垂直帰線期間は、モニタ１３０に映像が表示されるときに用いられるものであるが、画像合成部５１０での画像の合成においては関係がないものである。そこで、説明の簡略化のため、地上波チューナ４２０から出力信号切替部４３５に対して出力された垂直帰線期間の流れについては省略し、当該復調された地上波放送信号を地上波番組映像信号と置き換えて説明する。
【００５８】
出力信号切替部４３５が衛星番組映像信号、α値信号、データ放送映像信号、ＹＭ信号、ＹＳ信号、文字放送映像信号および地上波番組映像信号を取得したら、制御部４００は、視聴開始の指示に含まれる視聴チャンネル情報および合成情報に基づいて、衛星番組映像、合成衛星番組映像、地上波番組映像または合成地上波番組映像のいずれの映像をモニタ１３０に表示させるのかを決定する。以下に、制御部４００が決定した映像がモニタ１３０に表示されるときに当該受信システム１００の各構成部が行う動作について説明する。
【００５９】
まず、衛星番組映像または地上波番組映像がモニタ１３０に表示されるときの出力信号切替部４３５およびモニタ１３０の動作について説明する。
【００６０】
衛星番組映像が表示される場合、出力信号切替部４３５は、衛星番組映像信号をモニタ１３０に出力する。応じて、モニタ１３０には、衛星番組映像が表示される。これにより、ユーザは、衛星番組映像を視聴することができる。
【００６１】
一方、地上波番組映像が表示される場合、出力信号切替部４３５は、地上波番組映像信号をモニタ１３０に出力する。応じて、モニタ１３０には、地上波番組映像が表示される。これにより、ユーザは、地上波番組映像を視聴することができる。
【００６２】
次に、合成衛星番組映像または合成地上波番組映像がモニタ１３０に表示されるときの出力信号切替部４３５、合成回路１２５およびモニタ１３０の動作について説明する。
【００６３】
最初に、合成衛星番組映像がモニタ１３０に表示される場合について説明する。この場合、まず、出力信号切替部４３５は、取得した衛星番組映像信号とデータ放送映像信号とα値信号とを、図５に示される合成回路１２５に出力する。応じて、合成回路１２５の画像合成部５１０は、衛星番組映像信号およびデータ放送映像信号を取得し、合成回路１２５のＹＳ・ＹＭ信号作成部５０５は、α値信号を取得する。ＹＳ・ＹＭ信号作成部５０５は、取得したα値信号から変換ＹＳ信号および変換ＹＭ信号を作成する。以下に、変換ＹＳ信号および変換ＹＭ信号の作成が開始されてされてから合成衛星番組映像が表示されるまで間にＹＳ・ＹＭ信号作成部５０５および画像合成部５１０が行う動作の詳細について図６、図７および図８を用いて説明する。ここで、図７は、α値信号から変換ＹＳ信号および変換ＹＭ信号が作成されるときに、ＹＳ・ＹＭ信号作成部５０５が行う動作を示したフローチャートである。また、図８は、合成衛星番組映像信号が作成されるときに、画像合成部５１０が行う動作のフローチャートを示したものである。
【００６４】
最初に、変換ＹＳ信号および変換ＹＭ信号が作成されるときにＹＳ・ＹＭ信号作成部５０５が行う動作について説明する。まず、ＹＳ・ＹＭ信号作成部５０５は、図６に示されるα値変換テーブルを参照すると共に、取得したα値信号のα値を認識する（ステップＳ１００）。次に、ＹＳ・ＹＭ信号作成部５０５は、α値が０≦α≦０．２５であるか否かを判定する（ステップＳ１０５）。α値が０≦α≦０．２５である場合、本処理は、ステップＳ１１０に進む。一方、α値が０≦α≦０．２５でない場合、本処理は、ステップＳ１１５に進む。
【００６５】
α値が０≦α≦０．２５である場合、ＹＳ・ＹＭ信号作成部５０５は、α値が小さいので、衛星番組映像をモニタ１３０に表示させたらよいと判断して、０の変換ＹＳ信号を作成し（ステップＳ１１０）、さらに、０の変換ＹＭ信号を作成する（ステップＳ１２０）。この後、本処理はステップＳ１４５に進む。
【００６６】
α値が０≦α≦０．２５でない場合、ＹＳ・ＹＭ信号作成部５０５は、当該α値が０．２５＜α＜０．７５であるか否かを判定する（ステップＳ１１５）。α値が０．２５＜α＜０．７５である場合、本処理はステップＳ１２５に進む。一方、α値が０．２５＜α＜０．７５でない場合、本処理はステップＳ１３０に進む。
【００６７】
α値が０．２５＜α＜０．７５である場合、ＹＳ・ＹＭ信号作成部５０５は、輝度が減衰された衛星番組映像をモニタ１３０に表示させたらよいと判断して、０の変換ＹＳ信号を作成し（ステップＳ１２５）、さらに、１の変換ＹＭ信号を作成する（ステップＳ１３５）。この後、本処理はステップＳ１４５に進む。
【００６８】
α値が０．２５＜α＜０．７５でない場合、ＹＳ・ＹＭ信号作成部５０５は、α値が０．７５以上であると判断する。この場合、当該ＹＳ・ＹＭ信号作成部５０５は、データ放送映像をモニタ１３０に表示させたらよいと判断して、１の変換ＹＳ信号を作成し（ステップＳ１３０）、さらに、０の変換ＹＭ信号を作成する（ステップＳ１４０）。この後、本処理はステップＳ１４５に進む。
【００６９】
上記ステップＳ１４５において、ＹＳ・ＹＭ信号作成部５０５は、作成した変換ＹＳ信号および変換ＹＭ信号を画像合成部５１０に出力する（ステップＳ１４５）。応じて、画像合成部５１０は、変換ＹＳ信号および変換ＹＭ信号を取得する。以上で、変換ＹＳ信号および変換ＹＭ信号が作成されるときにＹＳ・ＹＭ信号作成部５０５が行う動作の説明を終了する。
【００７０】
次に、合成衛星番組映像信号が作成されるときに、画像合成部５１０が行う動作について説明する。まず、画像合成部５１０は、取得した変換ＹＳ信号が０であるか否かを判定する（ステップＳ１５５）。変換ＹＳ信号が０でない場合、本処理はステップＳ１６０に進む。変換ＹＭ信号が０である場合、本処理はステップＳ１６５に進む。
【００７１】
変換ＹＳ信号が０でない場合、画像合成部５１０は、取得したデータ放送映像信号を当該画素の合成衛星番組映像信号と決定する（ステップＳ１６０）。この後、本処理はステップＳ１８０に進む。
【００７２】
一方、変換ＹＳ信号が０である場合、画像合成部５１０は、取得した変換ＹＭ信号が０であるか否かを判定する（ステップＳ１６５）。変換ＹＭ信号が０である場合、本処理はステップＳ１７０に進む。一方、変換ＹＭ信号が０でない場合、本処理はステップＳ１７５に進む。
【００７３】
変換ＹＭ信号が０である場合、画像合成部５１０は、取得した衛星番組映像信号を当該画素の合成衛星番組映像信号と決定する（ステップＳ１７０）。この後、本処理はステップＳ１８０に進む。
【００７４】
一方、変換ＹＭ信号が０でない場合、画像合成部５１０は、取得した衛星番組映像信号の輝度を減少させる（ステップＳ１７５）。そして、画像合成部５１０は、輝度を減少させた衛星番組映像信号を当該画素の合成衛星番組映像信号と決定する（ステップＳ１７７）。この後、本処理はステップＳ１８０に進む。
【００７５】
上記ステップＳ１８０において、画像合成部５１０は、作成した合成衛星番組映像信号をモニタ１３０に出力する（ステップＳ１８０）。応じて、モニタ１３０には合成衛星番組映像が表示される。これにより、ユーザは、衛星番組映像とデータ放送映像とが合成された合成衛星番組映像を視聴することができる。以上で、合成衛星番組映像信号がモニタ１３０に表示される場合についての説明を終了する。
【００７６】
なお、上記処理は、一画素分の合成衛星番組映像信号の作成処理を示したものある。したがって、画像合成部５１０は、上記図７および図８に示される処理を、画素毎に行う。
【００７７】
次に、合成地上波番組映像がモニタ１３０に表示される場合について説明する。この場合、まず、出力信号切替部２３５は、地上波番組映像信号と文字放送映像信号とＹＳ信号とＹＭ信号とを、図５に示される合成回路１２５に出力する。応じて、合成回路１２５の画像合成部５１０は、上記各信号を取得し、当該各信号から合成地上波番組映像信号を作成する。以下に、当該合成地上波番組映像信号が作成されるときに画像合成部５１０が行う処理について図面を参照しながら説明する。図９は、当該合成地上波番組映像信号が作成されるときに画像合成部５１０が行う動作を示したフローチャートである。
【００７８】
まず、画像合成部５１０は、取得したＹＳ信号が０であるか否かを判定する（ステップＳ２０５）。ＹＳ信号が０でない場合、本処理はステップＳ２１０に進む。一方、ＹＳ信号が０である場合、本処理は、ステップＳ２１５に進む。
【００７９】
ＹＳ信号が０でない場合、画像合成部５１０は、取得した文字放送映像信号を当該画素の合成地上波番組映像信号と決定する（ステップＳ２１０）。この後、本処理はステップＳ２３５に進む。
【００８０】
一方、ＹＳ信号が０である場合、画像合成部５１０は、取得したＹＭ信号が０であるか否かを判定する（ステップＳ２１５）。ＹＭ信号が０である場合、本処理はステップＳ２２０に進む。一方、ＹＭ信号が０でない場合、本処理はステップＳ２２５に進む。
【００８１】
ＹＭ信号が０である場合、画像合成部５１０は、取得した地上波番組映像信号を当該画素の合成地上波番組映像信号と決定する（ステップＳ２２０）。この後、本処理はステップＳ２３５に進む。
【００８２】
一方、ＹＭ信号が０でない場合、画像合成部５１０は、取得した地上波番組映像信号の輝度を減少する（ステップＳ２２５）。そして、画像合成部５１０は、輝度を減少させた地上波番組映像信号を当該画素の合成地上波番組映像信号と決定する（ステップＳ２３０）。この後、本処理はステップＳ２３５に進む。
【００８３】
上記ステップＳ２３５において、画像合成部５１０は、作成した合成地上波番組映像信号をモニタ１３０に出力する（ステップＳ２３５）。応じて、モニタ１３０には、合成地上波番組映像が表示される。これにより、ユーザは、地上波番組映像と文字放送映像とが合成された合成地上波番組映像を視聴することができる。以上で、合成地上波番組映像信号がモニタ１３０に表示される場合についての説明を終了する。
【００８４】
なお、上記処理は、一画素分の合成地上波番組映像信号の作成処理を示したものある。したがって、画像合成部５１０は、各画素毎に上記作成処理を繰り返して合成地上波番組映像信号を作成している。
【００８５】
以上のように、本発明の第１の実施形態によれば、α値に対応する変換ＹＳ信号および変換ＹＭ信号が作成されて、当該変換ＹＳ信号および変換ＹＭ信号に基づいて、衛星番組映像およびデータ放送映像が合成されるので、αブレンドをするための回路が不要となる。その結果、当該受信システムの回路構成を簡略化することができ、当該受信システムの小型化が図られる。
【００８６】
なお、本実施形態にかかる受信システム１００は、衛星デジタル放送および地上波アナログ放送を受信するためのものであるが、当該受信システム１００は、衛星デジタル放送の代わりに地上波デジタル放送を受信するためのものであってもよい。この場合、地上波デジタル放送の放送電波には、衛星デジタル放送の放送電波と同様に番組映像信号とデータ放送信号とα値信号とが含まれており、番組映像とデータ放送映像とが、変換ＹＳ信号および変換ＹＭ信号によって合成されることになる。また、当該受信システム１００は、衛星デジタル放送、地上波デジタル放送および地上波アナログ放送を受信するためのものであってもよい。
【００８７】
なお、図６に示されるα値変換テーブル中のα値の閾値は、変更可能なパラメータであってもよい。この場合、例えば、ＹＳ・ＹＭ信号作成部５０５に対してα値を設定するための設定信号が入力されることによって、当該α値変換テーブル中のα値の閾値が変更されることが考えられる。なお、当該設定信号を入力する者は、例えばユーザや当該受信システム１００の製造者である。
【００８８】
（第２の実施形態）以下に、本発明の第２の実施形態について、図面を参照しながら説明する。本発明の第２の実施形態にかかる地上波アナログ放送および衛星デジタル放送受信システム（以下、受信システム１００と称す）の全体構成は、第１の実施形態と同様であるので、図１を援用する。また、本実施形態にかかる受信システム１００のチューナ１１５の詳細な構成も第１の実施形態と同様であるので、図４を援用する。さらに、本実施形態での衛星放送信号の構成および地上波放送信号の構成は、第１の実施形態と同様であるので、図２および図３を援用する。
【００８９】
本実施形態にかかる受信システム１００の衛星アンテナ１０５、地上波アンテナ１１０、チューナ１１５、リモコン１２０およびモニタ１３０の基本的な動作は、第１の実施形態と同様であるので説明を省略する。また、チューナ１１５内の各構成要素の基本動作も第１の実施形態と同様であるので、説明を省略する。
【００９０】
ここで、本実施形態にかかる受信システム１００と第１の実施形態にかかる受信システム１００との間で異なる点は、合成回路１２５の構成および動作である。第１の実施形態の合成回路１２５は、α値信号から変換ＹＳ信号および変換ＹＭ信号を作成し、当該変換ＹＳ信号および変換ＹＭ信号に基づいて、衛星番組映像信号とデータ放送映像信号とを合成していた。それに対して、本実施形態にかかる合成回路１２５は、ＹＳ信号およびＹＭ信号から変換α値信号を作成し、当該変換α値信号に基づいて、地上波番組映像信号と文字放送映像信号とを合成する。以下に、図１０を用いて、本実施形態にかかる合成回路１２５の詳細な構成について説明する。
【００９１】
本実施形態にかかる合成回路１２５は、α値信号作成部１００５および画像合成部１０１０を備える。
【００９２】
本実施形態にかかる合成回路には、衛星番組映像信号とデータ放送映像信号とα値信号との各信号またはＹＭ信号とＹＳ信号と文字放送映像信号と地上波番組映像信号との各信号のいずれかの組合せが出力されてくる。α値信号作成部１００５は、ＹＳ・ＹＭ信号変換テーブルを格納しており、当該ＹＳ・ＹＭ信号変換テーブルを参照して、取得したＹＳ信号およびＹＭ信号から変換α値信号を作成する。画像合成部１０１０は、取得した信号に基づいて、αブレンドによって、合成衛星番組映像信号または合成地上波番組映像信号を作成してモニタ１３０に出力する。
【００９３】
ここで、上記ＹＳ・ＹＭ信号変換テーブルについて図面を参照しながら説明する。図１１は、ＹＳ・ＹＭ信号変換テーブルの構成の一例を示した図である。当該ＹＳ・ＹＭ信号変換テーブルは、α値信号作成部１００５に格納されており、ＹＳ信号の値およびＹＭ信号の値と変換α値信号の値とが関連付けられている。より具体的には、ＹＳ信号およびＹＭ信号の値が共に０である場合、変換α値信号の値は０となる。これは、ＹＳ信号およびＹＭ信号の値が共に０である場合には、地上波番組映像信号が合成地上波番組映像信号として用いられるので、これと同様の効果が得られるように変換α値信号の値を０としている。
【００９４】
次に、ＹＳ信号の値が０であってかつＹＭ信号の値が１である場合、変換α値信号の値は０．５となる。これは、ＹＳ信号の値が０であってかつＹＭ信号の値が１である場合には、地上波番組映像信号の輝度が減少されるので、これと同様の効果が得られるように変換α値信号の値を０．５としている。
【００９５】
次に、ＹＳ信号の値が１であってかつＹＭ信号の値が０である場合、変換α値信号の値は１．０となる。これは、ＹＳ信号の値が１であってかつＹＭ信号の値が０である場合には、文字放送映像信号が合成地上波番組映像信号として用いられるので、これと同様の効果が得られるように変換α値信号の値を１．０としている。なお、図１１に示されるＹＳ・ＹＭ信号変換テーブル中の変換α値の値は、一例を示したものであり、当該α値の値はこれに限られない。
【００９６】
以上のように構成された受信システム１００について、以下に動作を説明する。なお、本実施形態で示す各処理は、コンピュータを用いてソフトウェア的に実現するか、あるいはそれら各処理を行う専用のハードウェア回路を用いて実現することができる。
【００９７】
まず、衛星デジタル放送および地上波アナログ放送の放送局で作成された各信号が受信システム１００で受信されるまでの間に、当該受信システム１００が行う動作は、第１の実施形態と同様であるので説明を省略する。また、受信した衛星放送信号および地上波放送信号が復調および復号化されるときにチューナ１１５が行う動作についても、第１の実施形態と同様であるので説明を省略する。
【００９８】
それでは、以下に、制御部４００が決定した映像がモニタ１３０に表示されるときに当該受信システム１００の各構成部が行う動作について説明する。
【００９９】
まず、衛星番組映像または地上波番組映像がモニタ１３０に表示されるときに、出力信号切替部４３５およびモニタ１３０が行う動作は、第１の実施形態と同様であるので説明を省略する。
【０１００】
次に、合成衛星番組映像または合成地上波番組映像がモニタ１３０に表示されるときの出力信号切替部４３５、合成回路１２５およびモニタ１３０が行う動作について説明する。
【０１０１】
最初に、合成衛星番組映像がモニタ１３０に表示される場合について説明する。この場合、まず、出力信号切替部４３５は、取得した衛星番組映像信号とデータ放送映像信号とα値信号とを、図１０に示される合成回路１２５に出力する。応じて、合成回路１２５の画像合成部１０１０は、衛星番組映像信号とデータ放送映像信号とα値信号を取得し、取得した各信号から合成衛星番組映像信号を作成する。以下に、当該合成衛星番組映像信号が作成されるときに画像合成部１０１０が行う動作について図面を参照しながら説明する。図１２は、当該合成衛星番組映像信号が作成されるときに画像合成部１０１０が行う動作を示したフローチャートである。
【０１０２】
まず、画像合成部１０１０は、取得したα値信号の値を検出する（ステップＳ２５０）。次に、画像合成部１０１０は、当該画素の合成衛星番組映像信号をαブレンドによって作成する（ステップＳ２５５）。より具体的には、画像合成部１０１０は、当該画素の衛星番組映像信号の強度を１−α倍し、当該画素のデータ放送映像信号の強度をα倍して、各信号を足し合わせる。これにより、合成衛星番組映像信号が作成される。
【０１０３】
次に、画像合成部１０１０は、作成した合成衛星番組映像信号をモニタ１３０に出力する（ステップＳ２６０）。応じて、モニタ１３０には、合成衛星番組映像が表示される。これにより、ユーザは、衛星番組映像とデータ放送映像とが合成された映像を視聴することができる。
【０１０４】
なお、上記処理は、一画素分の合成衛星番組映像信号の作成処理を示したものある。したがって、画像合成部１０１０は、画素毎に図１２に示される処理を行って、合成衛星番組映像信号を作成している。
【０１０５】
次に、合成地上波番組映像がモニタ１３０に表示される場合について説明する。この場合、まず、出力信号切替部４３５は、地上波番組映像信号と文字放送映像信号とを画像合成部１０１０に出力し、ＹＳ信号とＹＭ信号とを、図５に示されるα値信号作成部１００５に出力する。α値信号作成部１００５は、取得したＹＳ信号およびＹＭ信号から変換α値信号を作成する。以下に、変換α値信号の作成が開始されてされてから合成地上波番組映像が表示されるまで間にα値信号作成部１００５および画像合成部１０１０が行う動作の詳細について図１１、図１３および図１４を用いて説明する。ここで、図１３は、変換α値信号が作成されるときに、α値信号作成部が行う動作を示したフローチャートである。また、図１４は、合成地上波番組映像信号が作成されるときに画像合成部１０１０が行う動作を示したフローチャートである。
【０１０６】
最初に、図１３を用いて、α値信号作成部が変換α値信号を作成する時の動作について説明する。まず、α値信号作成部１００５は、ＹＳ・ＹＭ信号変換テーブルを参照するとともに、取得したＹＳ信号およびＹＭ信号の値を認識する（ステップＳ３００）。次に、当該α値信号作成部１００５は、認識したＹＳ信号の値が０であるか否かを判定する（ステップＳ３０５）。ＹＳ信号の値が０でない場合には、本処理はステップＳ３１０に進む。一方、ＹＳ信号の値が０である場合には、本処理はステップＳ３１５に進む。
【０１０７】
ＹＳ信号の値が０でない場合、α値信号作成部１００５は、１の値の変換α値信号を作成する（ステップＳ３１０）。この後、本処理はステップＳ３３０に進む。
【０１０８】
一方、ＹＳ信号の値が０である場合、α値信号作成部１００５は、認識したＹＭ信号の値が０であるか否かを判定する（ステップＳ３１５）。ＹＭ信号の値が０である場合、本処理はステップＳ３２０に進む。一方、ＹＭ信号の値が０でない場合、本処理はステップＳ３２５に進む。
【０１０９】
ＹＭ信号の値が０である場合、α値信号作成部１００５は、０の値の変換α値信号を作成する（ステップＳ３２０）。この後、本処理はステップＳ３３０に進む。
【０１１０】
一方、ＹＭ信号の値が０でない場合、α値信号作成部１００５は、０．５の値の変換α値信号を作成する（ステップＳ３２５）。この後、本処理はステップＳ３３０に進む。
【０１１１】
上記ステップＳ３３０において、α値信号作成部１００５は、作成した変換α値信号を画像合成部１０１０に出力する（ステップＳ３３０）。応じて、画像合成部１０１０は、α値信号作成部１００５から出力されてくる変換α値信号を取得する。以上で、α値信号作成部が変換α値信号を作成する時の動作についての説明を終了する。
【０１１２】
次に、図１４を用いて、合成地上波番組映像信号が作成されるときに画像合成部１０１０が行う動作について説明する。まず、画像合成部１０１０は、取得した変換α値信号に基づいて、当該変換α値信号に対応する画素の合成地上波映像信号をαブレンドによって作成する（ステップＳ３４０）。以下に、当該ステップＳ３４０において、画像合成部１０１０が行う動作の詳細について、図面を参照しながら説明する。図１５は、当該ステップＳ３４０において、画像合成部１０１０が行う動作を示したフローチャートである。
【０１１３】
まず、画像合成部１０１０は、取得した変換α値信号の値を認識する（ステップＳ４００）。次に、画像合成部１０１０は、認識した変換α値信号の値が０であるか否かを判定する（ステップＳ４０５）。変換α値信号の値が０である場合、本処理はステップＳ４１０に進む。一方、変換α値信号の値が０でない場合、本処理はステップＳ４１５に進む。
【０１１４】
変換α値信号の値が０である場合、画像合成部１０１０は、地上波番組映像信号を合成地上波番組映像信号と決定する（ステップＳ４１０）。この後、本処理は、合成地上波映像信号の作成処理を終了して、図１４のフローチャートのステップＳ３４５に進む。
【０１１５】
一方、変換α値信号の値が０でない場合、画像合成部１０１０は、認識した変換α値信号の値が０．５であるか否かを判定する（ステップＳ４１５）。変換α値信号の値が０．５でない場合、本処理はステップＳ４２０に進む。一方、変換α値信号の値が０．５である場合、本処理はステップＳ４２５に進む。
【０１１６】
変換α値信号の値が０．５でない場合、画像合成部１０１０は、当該変換α値信号の値が１．０であると決定し、文字放送映像信号を合成地上波番組映像信号と決定する（ステップＳ４２０）。この後、本処理は、合成地上波番組映像信号の作成処理を終了して、図１４のフローチャートのステップＳ３４５に進む。
【０１１７】
一方、変換α値信号の値が０．５である場合、画像合成部１０１０は、地上波番組映像信号の強度および文字放送映像信号の強度をそれぞれ０．５倍し（ステップＳ４２５）、これらの信号を足し合わせて合成地上波番組映像信号を作成する（ステップＳ４３０）。この後、本処理は、合成地上波番組映像信号の作成処理を終了して、図１４のフローチャートのステップＳ３５５に進む。以上で、ステップＳ３４０の詳細な説明を終了する。
【０１１８】
上記ステップＳ３４０において合成地上波番組映像信号を作成した画像合成部１０１０は、作成した合成地上波番組映像信号をモニタ１３０に出力する（ステップＳ３５５）。応じて、モニタ１３０には、合成地上波番組映像が表示される。これにより、ユーザは、地上波番組映像と文字放送映像とが合成された映像を視聴することが可能となる。
【０１１９】
なお、上記処理は、一画素分の合成地上波番組映像信号の作成処理を示したものある。したがって、画像合成部１０１０は、画素毎に図１３、図１４および図１５に示される処理を行って、合成地上波番組映像信号を作成している。
【０１２０】
以上のように、本発明の第２の実施形態によれば、ＹＳ信号およびＹＭ信号に対応する変換α値信号が作成されて、当該変換α値信号に基づいて、地上波番組映像および文字放送映像が合成されるので、ＹＳ信号およびＹＭ信号によって画像合成するための回路が不要となる。その結果、当該受信システムの回路構成を簡略化することができ、当該受信システムの小型化が図られる。
【０１２１】
なお、本実施形態にかかる受信システム１００は、衛星デジタル放送および地上波アナログ放送を受信するためのものであるが、当該受信システム１００は、衛星デジタル放送の代わりに地上波デジタル放送を受信するためのものであってもよい。また、当該受信システム１００は、衛星デジタル放送、地上波デジタル放送および地上波アナログ放送を受信するためのものであってもよい。
【０１２２】
なお、図１１に示されるＹＳ・ＹＭ信号変換テーブル中の変換α値信号の値は、０、０．５および１．０と固定されているが、当該変換α値信号の値は、変更可能なパラメータであってもよい。この場合、例えば、α値信号作成部１００５に対して変換α値信号の値を設定するための設定信号が入力されて、上記ＹＳ・ＹＭ信号変換テーブル中の変換α値信号の値が変更されることが考えられる。なお、当該設定信号を入力する者は、例えばユーザや当該受信システム１００の製造者である。
【図面の簡単な説明】
【図１】本発明の受信システム１００の構成を示したブロック図である。
【図２】本発明の衛星放送信号の構成の一例を示した図である。
【図３】本発明の地上波放送信号の構成の一例を示した図である。
【図４】本発明のチューナ１１５の構成の詳細を示したブロック図である。
【図５】本発明の第１の実施形態にかかる合成回路１２５の詳細を示したブロック図である。
【図６】本発明の第１の実施形態にかかるα値変換テーブルの一例を示した図である。
【図７】本発明の第１の実施形態において、変換ＹＳ信号および変換ＹＭ信号が作成されるときに、ＹＳ・ＹＭ信号作成部５０５が行う動作を示したフローチャートである。
【図８】本発明の第１の実施形態において、合成衛星番組映像が作成されるときに、画像合成部５１０が行う動作を示したフローチャートである。
【図９】本発明の第１の実施形態において，合成地上波番組映像信号が作成されるときに画像合成部５１０が行う動作を示したフローチャートである。
【図１０】本発明の第２の実施形態にかかる合成回路１２５の構成の詳細を示したブロック図である。
【図１１】本発明の第２の実施形態にかかるＹＳ・ＹＭ信号変換テーブルの一例を示した図である。
【図１２】本発明の第２の実施形態において、合成衛星番組映像信号が作成されるときに画像合成部１０１０が行う動作を示したフローチャートである。
【図１３】本発明の第２の実施形態において、変換α値信号が作成されるときに、α値信号作成部１００５０が行う動作を示したフローチャートである。
【図１４】本発明の第２の実施形態において、合成地上波番組映像が作成されるときに、画像合成部１０１０が行う動作を示したフローチャートである。
【図１５】本発明の第２の実施形態において、αブレンドによって合成地上波番組映像が作成されるときに画像合成部１０１０が行う動作の詳細を示したフローチャートである。
【図１６】ＹＳ信号およびＹＭ信号を用いた画像合成の説明に用いる図である。
【図１７】従来の受信システム２０００の構成を示したブロック図である。
【符号の説明】
１００  受信システム
１０５  衛星アンテナ
１１０  地上波アンテナ
１１５  チューナ
１２０  リモコン
１２５  合成回路
１３０  モニタ
４００  制御部
４０５  リモコンＩ／Ｆ
４１０  ＢＳ／ＣＳチューナ
４１５  ＢＳ／ＣＳデコーダ
４２０  地上波チューナ
４２５  文字放送デコーダ
４３５  出力信号切替部
５０５  ＹＳ・ＹＭ信号作成部
５１０，１０１０  画像合成部
１００５  α値信号作成部
【図１】
0004012762.tif 000002
【図２】
0004012762.tif 000003
【図３】
0004012762.tif 000004
【図４】
0004012762.tif 000005
【図５】
0004012762.tif 000006
【図６】
0004012762.tif 000007
【図７】
0004012762.tif 000008
【図８】
0004012762.tif 000009
【図９】
0004012762.tif 000010
【図１０】
0004012762.tif 000011
【図１１】
0004012762.tif 000012
【図１２】
0004012762.tif 000013
【図１３】
0004012762.tif 000014
【図１４】
0004012762.tif 000015
【図１５】
0004012762.tif 000016
【図１６】
0004012762.tif 000017
【図１７】
0004012762.tif 000018